(57)【特許請求の範囲】
【請求項１】
一つの画像内の色変換において複数の色再現方式のうちの一の色再現方式に切り替える色再現処理切替装置であって、
表示画像を複数の各画素ブロックに分割する画像分割手段と、該一つの画像の該各画素ブロックに対して、基準値に基づいて階調性の多少および彩度の高低のうちの少なくとも何れかを検出する画像特性検出手段と、該画像特性検出手段の検出結果に応じて、高速であるが緻密でない高速色再現処理方式および、緻密であるが高速でない該精細色再現処理方式の何れかに選択的に切り替える第１色再現処理方式切替手段とを備え、
該第１色再現処理方式切替手段は、該画像特性検出手段が、最大階調値と最小階調値の差が定数として保持されている階調基準値より小さいか否かを検出することにより、階調性が多いと検出した場合に該高速色再現処理方式に切換え、階調性が少ないと検出した場合に該精細色再現処理方式に切り替えるものであり、
該第１色再現処理方式切替手段は、該分割画素ブロック毎の色再現処理方式の切替えを順次実行して表示画像全体の色再現処理方式の切替処理を行う色再現処理切替装置。
【請求項２】
一つの画像内の色変換において複数の色再現方式のうちの一の色再現方式に切り替える際に、
画像分割手段が、表示画像を複数の画素ブロックに分割する画像分割ステップと、一つの画像の各画素ブロックに対して、画像特性検出手段が、基準値に基づいて階調性の多少および彩度の高低のうちの少なくとも何れかを検出する画像特性検出ステップと、第１色再現処理方式切替手段が、該画像特性検出ステップの検出結果に応じて、高速であるが緻密でない高速色再現処理方式および、緻密であるが高速でない該精細色再現処理方式の何れかに選択的に切り替える第１色再現処理方式切替ステップとを有し、
該第１色再現処理方式切替手段は、該画像特性検出手段が、最大階調値と最小階調値の差が定数として保持されている階調基準値より小さいか否かを検出することにより、階調性が多いと検出した場合に該高速色再現処理方式に切換え、階調性が少ないと検出した場合に該精細色再現処理方式に切り替えるものであり、
該第１色再現処理方式切替手段は、該分割画素ブロック毎の色再現処理方式の切替えを順次実行して表示画像全体の色再現処理方式の切替処理を行う制御プログラムが記録された可読記録媒体。
【発明の詳細な説明】
【０００１】
【発明の属する技術分野】
本発明は、例えば人物や自然風景などの各種画像に色再現処理を行って元の色に近い状態で表示する例えばモニタ、プリンタ、スキャナおよびデジタルカメラなどの各種情報機器に用いられる色再現処理切替装置および、これに用いる可読記録媒体に関する。
【０００２】
【従来の技術】
従来、自然画などを表示したり印刷したりするシステムにおいては、できるだけ元の色に近い色を再現するための色再現処理(カラーマッチング)方式が用いられている。この色再現処理方式には、高速であるがあまり緻密ではないものや、緻密であるが高速でないものなどがある。前者には、３原色ＲＧＢそれぞれの成分に対してγ補正のみを行うものなどがあり、後者には，３原色ＲＧＢ各色の相関関係まで考慮に入れて行列演算を行うものなどがある。
【０００３】
従来のシステムにおいては、複数の色再現処理方式を用意し、ユーザの指定によって、どの色再現処理方法を採用するかを決定することが可能であった。また、例えば特開平６−３３２４１１号公報「表示装置」では、動画と静止画の自動認識方法について記載されているのみであり、最適な色再現処理を施すことについては、何ら記載されていない。
【０００４】
【発明が解決しようとする課題】
上記従来のものでは、ユーザが、現在の画像に対して、どの色再現処理方式が適しているのかを判断し、最適と考えられる色再現処理方式を選択するのに手間がかかった。また、ユーザの判断では、画像上の微妙な階調や彩度の違いまでを画像特性として画像から判断したりその画像から切り分けたりすることは大変難しく、正確な画像特性の判断や正確な画像の切り分けをすることが全くできなかった。
【０００５】
本発明は、上記事情に鑑みて為されたもので、対象となる画像の特性を自動認識し、その画像特性に応じて最適な色再現処理方式に切替えることができる色再現処理切替装置および、これに用いる可読記録媒体を提供することを目的とする。
【０００６】
【課題を解決するための手段】
本発明の色再現処理切替装置は、一つの画像内の色変換において複数の色再現方式のうちの一の色再現方式に切り替える色再現処理切替装置であって、一つの画像に対して、基準値に基づいて階調性の多少および彩度の高低のうちの少なくとも何れかを検出する画像特性検出手段と、この画像特性検出手段の検出結果に応じて、高速色再現処理方式および精細色再現処理方式の何れかに選択的に切り替える第１色再現処理方式切替手段とを備えたものであり、そのことにより上記目的が達成される。具体的には、第１色再現処理方式切替手段は、前記画像特性検出手段が、階調性が多いと検出した場合に高速色再現処理方式に切換え、階調性が少ないと検出した場合に精細色再現処理方式に切り替える。
【０００７】
また、本発明の色再現処理切替方法は、一つの画像内の色変換において複数の色再現方式のうちの一の色再現方式に切り替える色再現処理切替方法であって、一つの画像に対して、基準値に基づいて階調性の多少および彩度の高低のうちの少なくとも何れかを検出する画像特性検出処理工程と、この画像特性検出処理工程の検出結果に応じて、高速色再現処理方式および精細色再現処理方式の何れかを選択的に切り替える色再現処理方式切替処理工程とを有するものであり、そのことにより上記目的が達成される。また、これに用いる可読記録媒体は、一つの画像内の色変換において複数の色再現方式のうちの一の色再現方式に切り替える際に、一つの画像に対して、基準値に基づいて階調性の多少および彩度の高低のうちの少なくとも何れかを検出する画像特性検出ステップと、この画像特性検出ステップの検出結果に応じて、高速色再現処理方式および精細色再現処理方式の何れかを選択的に切り替える色再現処理方式切替ステップとを有する制御プログラムが記録されている。
【０００８】
上記構成により、階調性の多少および彩度の高低を基準値と比較することで画像特性を自動認識し、その自動認識した画像特性に応じて、対象画像に対する最適な色再現処理方式に切替えることが可能となる。よって、対象画像に対して最適な色再現処理が行われる。
【０００９】
また、本発明の色再現処理切替装置は、一つの画像内の色変換において複数の色再現方式のうちの一の色再現方式に切り替える色再現処理切替装置であって、この一つの画像に対応したデータインデックス部に適用色再現方式情報を記憶し、その適用色再現方式情報を該一つの画像毎に検出する適用色再現方式情報検出手段と、その画像に対して、検出した適用色再現方式情報に応じた精細色再現処理方式および高速色再現処理方式の何れかに選択的に切り替える第２色再現処理方式切替手段とを備えたものであり、そのことにより上記目的が達成される。
【００１０】
この構成により、一つの画像に対応したデータインデックス部に適用色再現方式情報を記憶し、対象となる画像の特性を自動認識し、その自動認識した画像特性に応じて対象画像に対する最適な色再現処理方式に切替えることが可能となる。よって、対象画像に対して最適な色再現処理が行われる。
【００１１】
さらに、好ましくは、本発明の色再現処理切替装置において、一つの画像は、表示画面上の画像全体である。また、好ましくは、本発明の色再現処理切替装置において、表示画像を複数の画素ブロックに分割する画像分割手段を有し、一つの画像は分割画素ブロックであり、色再現処理方式切替手段は、この分割画素ブロック毎の色再現処理方式の切替えを順次実行して表示画像全体の色再現処理方式の切替処理を行う。
【００１２】
この構成により、画像特性に応じた最適な色再現処理方式の切替処理は、表示画像全体に対して一気に行ってもよいし、表示画像全体を複数の画素ブロックに分割し、この分割画素ブロック毎の色再現処理方式の切替えを順次実行して表示画面上の画像全体に対して行うようにしてもよい。
【００１３】
さらに、好ましくは、本発明の色再現処理切替装置は、一つの画像内の色変換において複数の色再現方式のうちの一の色再現方式に切り替える色再現処理切替装置であって、動画と静止画を識別する動画／静止画識別手段と、該動画／静止画識別手段が、動画であると識別した場合に、その動画に対して高速色再現処理方式に切換え、静止画であると識別した場合に、その静止画に対して精細色再現処理に切替える第３色再現処理方式切替手段とを備えたものであり、そのことにより上記目的が達成される。
【００１４】
この構成により、動画と静止画を識別することで、対象となる画像の特性を自動認識し、その自動認識した画像特性に応じて、対象画像に対する最適な色再現処理方式に切替えることが可能となる。よって、対象画像に対して最適な色再現処理が行われる。
【００１５】
【発明の実施の形態】
以下、本発明の実施形態の色再現処理切替装置について図面を参照しながら説明する。
【００１６】
図１は、本発明の一実施形態における色再現処理切替装置の要部ハード構成を示すブロック図である。
【００１７】
図１において、色再現処理切替装置１は、表示装置２と、ＲＯＭ３と、ＲＡＭ４と、記録媒体読取装置５と、各部を制御するＣＰＵ６（中央演算処理装置）とを有している。
【００１８】
表示装置２は、液晶表示装置やＣＲＴなどで構成され、表示画面上に自然風景や人物などの各種画像を表示するものである。
【００１９】
ＲＯＭ３は可読記録媒体としての記憶手段（例えばＦＤやＣＤ−ＲＯＭ等）であり、制御プログラムおよび各種データを格納し、これらを情報機器の記録媒体読取装置５で読み出すことにより、種々の情報機器で本発明の色再現方式が実現できるものである。
【００２０】
ＲＯＭ３には、表示画像全体を複数の画素ブロックに分割する画像分割ステップと、この分割した画素ブロック内の画素に対して、基準値に基づいて階調性の有無および彩度の高低の何れかを検出する画像特性検出ステップと、この画像特性検出ステップによる検出結果に応じて、高速色再現処理方式および精細色再現処理方式の何れかに選択的に切り替える色再現処理方式切替ステップとを有した制御プログラムが格納されている。この制御プログラムとは、図２に示すように、画像が微妙な階調を持ったものか、そうでないものかを判定するための階調判定プログラム３１と、画像が一定以上の彩度(色鮮やかさ）を有しているかどうかを判定するための彩度判定プログラム３２と、高速であるがあまり緻密ではない色再現処理を行う高速色再現プログラム３３と、緻密であるが高速ではない色再現処理を行う精密色再現プログラム３４とを有している。また、保持データとしては、図２に示すように、ＲＯＭ３内の各種定数保持メモリ３５に、画像が一定以上の階調を有しているかどうかを判定するための定数である階調基準値３５１（ＫＡＩ）と、画像が一定以上の彩度を有しているかどうかを判定するための定数である彩度基準値３５２（ＳＡＩ）などを格納している。
【００２１】
ＲＡＭ４は、ＣＰＵ６が作動するときに一旦データを記憶するワークメモリである。
【００２２】
記録媒体読取装置５は、ＲＯＭ３内の各種制御プログラムおよびその保持データを読取ると共に、ＲＡＭ４内の各種データを読取った情報をＣＰＵ６に与えるものである。なお、ＲＡＭ４にデータを書込む記録媒体記録装置についてはここではその説明を省略する。
【００２３】
ＣＰＵ６は、制御プログラムに基づいて、対象となる画像の特性を自動認識し、その対象画像に対して最適な色再現処理を施すために各種色再現処理方式を切替制御して表示装置２の画面上に表示するものである。具体的には、ＣＰＵ６は、制御プログラムに基づいて、表示画像上の画像全体を複数の画素ブロックに分割する画像分割手段６１と、この分割した画素ブロック内の画素に対して、基準値に基づいて階調性の有無および彩度の高低の何れかを検出する画像特性検出手段６２と、この画像特性検出手段６２の検出結果に応じて、高速色再現処理方式および精細色再現処理方式の何れかに選択的に切り替える色再現処理方式切替手段６３（第１色再現処理方式切替手段）とを有し、画素ブロック毎の色再現処理方式の切替えを順次実行して表示画面上の画像全体の色再現処理方式の切替処理を行うものである。
【００２４】
画像分割手段６１は、例えば図３に示すように、表示画像全体をＧ１１〜Ｇ３３の９エリア（９個の画素ブロック）に分割するものである。
【００２５】
画像特性検出手段６２は、各画素ブロック毎に階調判定プログラム３１または彩度判定プログラム３２に基づいて、画像特性（階調性の有無または彩度の高低）の判定を行うものである。彩度の高低を図４に示しており、有彩色部分を高彩度とし、無彩色部分を低彩度とする。
【００２６】
色再現処理方式切替手段６３は、例えば図３のＧ１１のエリアでは単一色に近い山が表示されているため、判定プログラムによる判定の結果（階調性無しまたは低彩度）により、高速であるが緻密でない高速色再現処理方式（高速色再現プログラム３３）を採用し、また、例えば図３のＧ１３のエリアでは，人物の顔が表示されているため、判定プログラムによる判定の結果（階調性有りまたは高彩度）により、緻密であるが高速でない精細色再現処理方式（精密色再現プログラム３４）を採用するように切替制御するようになっている。
【００２７】
上記構成により、以下、色再現処理方式の切替動作について説明する。
【００２８】
図５は、図１の色再現処理切替装置の階調特性に応じた切替動作を示すフローチャートである。なお、赤（Ｒ）、緑（Ｇ）および青（Ｂ）の階調値はそれぞれ、０〜２５５の値で構成されるものとする。
【００２９】
図５に示すように、まず、ステップＳ１で、図３に示すように元の表示画像全体をＮ×Ｎ画素毎の９個の画素ブロックに仕切る。
【００３０】
次に、ステップＳ２で、第１番目の画素ブロック内の赤色成分の最大階調値（ｍａｘＲ）と最小階調値（ｍｉｎＲ）の差が階調基準値（ＫＡＩ）よりも小さいかどうかを判別する。ステップＳ２でその差（ｍａｘＲ−ｍｉｎＲ）が階調基準値（ＫＡＩ）よりも小さければ、赤色成分については、急激な色変化を示していないことから階調性の高い画素ブロックであると判定され、赤色成分について階調性がある場合に、次のステップＳ３に移行する。
【００３１】
さらに、ステップＳ３で、同じ該当画素ブロック内の緑色成分の最大階調値（ｍａｘＧ）と最小階調値（ｍｉｎＧ）の差が階調基準値（ＫＡＩ）よりも小さいかどうかを判別する。ステップＳ３でその差（ｍａｘＧ−ｍｉｎＧ）が階調基準値（ＫＡＩ）よりも小さければ、緑色成分については、急激な色変化を示していないことから階調性の高い画素ブロックであると判定され、赤色成分さらに緑色成分についても階調性がある場合に、次のステップＳ４に移行する。
【００３２】
さらに、ステップＳ４で、同じ該当画素ブロック内の青色成分の最大階調値（ｍａｘＢ）と最小階調値（ｍｉｎＢ）の差が階調基準値（ＫＡＩ）よりも小さいかどうかを判別する。ステップＳ４でその差（ｍａｘＢ−ｍｉｎＢ）が階調基準値（ＫＡＩ）よりも小さければ、青色成分については、急激な色変化を示していないことから階調性の高いブロックであると判定される。赤色成分、緑色成分さらに青色成分についても階調性がある場合に、次のステップＳ５に移行する。
【００３３】
このように、ステップＳ２〜Ｓ４で、赤色成分、緑色成分および青色成分共に、階調性があると判別された場合（ＹＥＳ）に、この画素ブロックは階調性が高い（階調性有り）と判定され、ステップＳ５で、精密色再現プログラム３４が起動される。
【００３４】
また、ステップＳ２〜Ｓ４で、赤色成分、緑色成分および青色成分のうちの少なくとも何れかに階調性がなかったと判別された場合（ＮＯ）に、この画素ブロックは階調性が低い（階調性無し）と判定され、ステップＳ６で、高速色再現プログラム３３が起動される。
【００３５】
さらに、ステップＳ７で全画素ブロック（９エリア）について上記色再現プログラムの切替処理が終了したかどうかを判定する。全画素ブロックが終了したと判定されたときに全処理が終了し、全処理が終了していなければ、次の画素ブロックへ移行する処理（ステップＳ８）を経て、上記ステップＳ２〜Ｓ７を全画素ブロックが終了するまで繰り返す。
【００３６】
以上により、画像内の色変換において画像全体を認識し、その画像内で微妙な階調をもっている部分(人の肌などに代表され、色合いの変化がなめらかな部分は、緻密な色再現を必要とする）と、微妙な階調を持っていない部分との画像特性（階調性の有無）を自動認識してその画像に対して、前者には「緻密であるが高速でない」精細色再現処理方式を適用し、後者には、「高速であるがあまり緻密ではない」高速色再現処理方式を適用するようにしたため、その対象画像に対して最適な色再現処理方式を施すことができる。よって、対象画像に対して最適な色再現処理が行われる。
【００３７】
図６は、図１の色再現処理切替装置の色彩特性に応じた切替動作を示すフローチャートである。
【００３８】
図６に示すように、まず、ステップＳ１１で図３に示すように元の画像をＮ×Ｎ画素毎の９個の画素ブロックに仕切る。
【００３９】
次に、第１番目の画素ブロックの画素について、ステップＳ１２でＲ、Ｇ、Ｂ成分の最大彩度値ｍａｘ（Ｒ、Ｇ、Ｂ）と最小彩度値ｍｉｎ（Ｒ、Ｇ、Ｂ）の差ｍａｘ（Ｒ、Ｇ、Ｂ）−ｍｉｎ（Ｒ、Ｇ、Ｂ）が彩度基準値ＳＡＩよりも大きいかどうかを判定する。
【００４０】
ステップＳ１２で、その差が基準値ＳＡＩよりも大きければ、その画素の彩度が高いと判断されるので、ステップＳ１３で精密色再現プログラム３４を起動することになる。
【００４１】
また、ステップＳ１２で、その差が彩度基準値ＳＡＩよりも小さく、彩度が低いと判定されると、ステップＳ１４で、同じ画素ブロック内の全画素について彩度の判定が終了したかどうかを判定する。
【００４２】
ステップＳ１４で全画素について彩度の判定が終了していない場合には、次の画素へ移行する処理（ステップＳ１５）を経て、上記ステップＳ１２〜Ｓ１４を介して画素ブロック内の全画素が終了するまで繰り返す。
【００４３】
また、ステップＳ１４で全画素について彩度の判定が終了した場合に、ステップＳ１６で、同一画素ブロック内の全画素について彩度が低いと判定されたことになるので、高速色再現プログラム３３が起動される。
【００４４】
以上のように、ステップＳ１２で彩度が高いと判定された場合、ステップＳ１３で精密色再現プログラム３４が起動される。また、ステップＳ１２、Ｓ１４で全画素について彩度が低いと判定された場合、高速色再現プログラム３３が起動される。
【００４５】
さらに、ステップＳ１７で全画素ブロック（９エリア）について終了したかどうかを判定し、終了した場合には処理を終わり。ステップＳ１７で全画素ブロックが終了していない場合は、次の画素ブロックへ移行する処理（ステップＳ１８）を経て、上記ステップＳ１２〜Ｓ１７を介して全画素ブロックが終了するまで繰り返す。
【００４６】
以上により、画像内で彩度の高い部分(色合いが鮮やかな部分の場合、つまり色が濃く白黒に近くない場合、緻密な色再現性を必要とする)と、彩度が低い部分(色の要素があまり無く、白黒に近い）との画像特性を自動認識してそれを切り分け、前者には「緻密であるが高速でない」精細色再現方式（精密色再現プログラム３４）を適用し、後者には、「高速であるがあまり緻密ではない」高速色再現方式（高速色再現プログラム３３）を適用するようにしたため、その対象画像に対して最適な色再現処理を施すことができる。
【００４７】
なお、上記実施形態では、画像特性として階調性の有無または彩度の高低を検出し、その検出した画像特性に応じて、高速色再現処理方式（高速色再現プログラム３３）および精細色再現処理方式（精密色再現プログラム３４）の何れかに選択する場合について説明したが、これに限らず、画像特性として階調性の有無および彩度の高低を共に検出し、その検出した画像特性に応じて、高速色再現処理方式（高速色再現プログラム３３）および精細色再現処理方式（精密色再現プログラム３４）の何れかに選択するようにしてもよい。この場合には画像特性の判定がより精密になる。例えば階調性の有無および彩度の高低の検出結果が共に高速色再現処理方式を指示したときは高速色再現処理方式を選択し、その検出結果が共に精細色再現処理方式を指示したときは精細色再現処理方式を選択するが、階調性の有無および彩度の高低の検出結果の一方が高速色再現処理方式を指示し、他方が精細色再現処理方式を指示したときには、高速色再現処理方式および精細色再現処理方式の一方に決めて選択するようにしてもよい。
【００４８】
また、上記実施形態では、表示画像全体を複数の画像（画素ブロック）に分割し、その分割した画像の画像特性を自動認識し、その自動認識した画像特性に応じて最適な色再現処理方式を提供する手段を設けるように構成したが、これに限らず、例えば図３に示すＧ１１〜Ｇ３３までの表示画像全体に対して一気に画像特性を自動認識し、その自動認識した画像特性に応じて最適な色再現方式を提供する手段を設けるように構成してもよい。上記実施形態で説明した画素ブロック単位の切替処理を一画像に対して適用することによって、一画像単位、ここでは表示画像全体での色再現方式の切り替えを実行することができる。よって、この場合にも、本実施形態と同様に、ユーザの手を介さずに、自動的に最適で正確な色再現処理を行うことができるものである。
【００４９】
さらに、上記実施形態では、階調性の有無および彩度の高低などの画像特性を検出し、その検出した画像特性に応じて、最適な色再現処理方式を選択する場合について説明したが、これに限らず、予め画像単位で設定されている色再現方式を自動的に実行する手段を設けるように構成してもよい。例えば図７に画像のフォーマット図を示しており、そのインデックス部には、画像の色再現処理を高速色再現プログラムで行うか、精密色再現プログラムで行うかの適用色再現方式情報が格納されている。そのインデックス部に格納した適用色再現方式情報に基づいて、最適な色再現処理方式を選択するように構成することができる。よって、この場合にも、本実施形態と同様に、ユーザの手を介さずに、自動的に最適で正確な色再現処理を行うことができる。
【００５０】
ここで、ＲＯＭ内には、例えば、一つの画像に対応したデータインデックス部に適用色再現方式情報を持たせておき、その適用色再現方式情報を一つの画像毎に検出する適用色再現方式情報検出ステップと、その画像に対して、該検出した適用色再現方式情報に応じた精細色再現処理方式および高速色再現処理方式の何れかに選択的に切り替える色再現処理方式切替ステップとを有する制御プログラムが格納されている。これを用いて、ＣＰＵは、その適用色再現方式情報を一つの画像毎に検出する適用色再現方式情報検出手段と、その画像に対して、該検出した適用色再現方式情報に応じた精細色再現処理方式および高速色再現処理方式の何れかに選択的に切り替える第２色再現処理方式切替手段とを実現するものである。
【００５１】
また、上記実施形態では、階調性の有無および彩度の高低などの画像特性を検出し、その検出した画像特性に応じて、最適な色再現処理方式を選択する場合について説明したが、これに限らず、静止画/動画の違いに応じて色再現方式を自動的に切り替える手段を提供するようにしてもよい。この場合には、対象画像が静止画であると判定されたときは、上述した精密色再現プログラム３４を起動し、対象画像が、高速性が要求される動画であると判定されたときは、上述した高速色再現プログラムを起動することができる。なお、例えば特開平６−３３２４１１号公報「表示装置」における動画／静止画自動認識方法を用いて、動画と静止画を自動認識するようにしてもよい。よって、この場合にも、本実施形態と同様に、ユーザの手を介さずに、自動的に最適で正確な色再現処理を行うことができる。
【００５２】
ここで、ＲＯＭ内には、例えば、動画と静止画を識別する動画／静止画識別ステップと、この動画／静止画識別ステップで、動画であると識別した場合に、その動画に対して高速色再現処理方式に切換え、静止画であると識別した場合に、その静止画に対して精細色再現処理に切替える色再現処理方式切替ステップとを有する制御プログラムが格納されている。これを用いて、ＣＰＵは、動画と静止画を識別する動画／静止画識別手段と、この動画／静止画識別手段が、動画であると識別した場合に、その動画に対して高速色再現処理方式に切換え、静止画であると識別した場合に、その静止画に対して精細色再現処理に切替える第３色再現処理方式切替手段とを実現するものである。
【００５３】
【発明の効果】
以上のように、請求項１〜３，８によれば、階調性の有無および彩度の高低を基準値と比較することで、画像特性を自動認識し、その自動認識した画像特性に応じて、対象画像に対する最適な色再現処理方式に切替えることができる。よって、対象画像に対して最適な色再現処理を行うことができる。
【００５４】
また、請求項４によれば、一つの画像に対応したデータインデックス部に適用色再現方式情報を持たせておくことで、画像の特性を自動認識し、その自動認識した画像特性に応じて、対象画像に対する最適な色再現処理方式に切替えることができる。よって、対象画像に対して最適な色再現処理を行うことができる。
【００５５】
さらに、請求項５によれば、画像特性に応じた最適な色再現処理方式の切替処理を、表示画像全体に対して一気に行うことができ、また、請求項６によれば、表示画像全体を複数の画素ブロックに分割し、この分割画素ブロック毎の色再現処理方式の切替えを順次実行して表示画面上の画像全体に対して行うこともできる。
【００５６】
さらに、請求項７によれば、動画と静止画を識別することで、画像の特性を自動認識し、その自動認識した画像特性に応じて、対象画像に対する最適な色再現処理方式に切替えることができる。よって、対象画像に対して最適な色再現処理を行うことができる。
【図面の簡単な説明】
【図１】本発明の一実施形態における色再現処理切替装置のハード構成を示すブロック図である。
【図２】図１の色再現処理切替装置で用いるプログラムおよびデータの格納状態をハード構成で示す図である。
【図３】図１の色再現処理切替装置で用いる画像分割処理を説明するための図である。
【図４】彩度の高低を説明するための図である。
【図５】図１の色再現処理切替装置における階調特性に応じた切替動作を示すフローチャートである。
【図６】図１の色再現処理切替装置における色彩特性に応じた切替動作を示すフローチャートである。
【図７】図１の色再現処理切替装置とは別の実施形態で用いる画像フォーマット図である。
【符号の説明】
１    色再現処理切替装置
２    表示装置
３    ＲＯＭ
３１    階調判定プログラム
３２    彩度判定プログラム
３３    高速色再現プログラム
３４    精密色再現プログラム
３５    各種定数保持メモリ
３５１    階調基準値（ＫＡＩ）
３５２    彩度基準値（ＳＡＩ）
５    記録媒体読取装置
６    ＣＰＵ
６１    画像分割手段
６２    画像特性検出手段
６３    色再現処理方式切替手段
【図１】
0004807866.tif 000002
【図２】
0004807866.tif 000003
【図３】
0004807866.tif 000004
【図４】
0004807866.tif 000005
【図５】
0004807866.tif 000006
【図６】
0004807866.tif 000007
【図７】
0004807866.tif 000008